(57)【特許請求の範囲】
【請求項１】
第１動画像を表示部の第１領域に表示させ、第２動画像を前記表示部における前記第１領域よりも狭い第２領域に表示させる表示処理部と、
前記第２動画像を前記第１領域で表示させるための切替操作を受け付ける操作受付部と、
前記操作受付部が前記切替操作を受け付けると、前記切替操作を受け付けた切替操作時点で前記第２領域に表示されている時点の前記第２動画像から前記第１領域に表示させるか、前記切替操作時点よりも前の時点に遡って前記第２動画像を前記第１領域に表示させるかを選択するための選択操作画面を前記表示部に表示させる操作画面表示部と、
を有し、
前記表示処理部は、前記操作受付部が前記選択操作画面において受け付けた操作の内容に対応する時点から前記第２動画像を前記第１領域に表示させる、
画像表示装置。
【請求項２】
前記表示処理部は、前記切替操作時点よりも前の時点に遡って前記第２動画像を前記第１領域に表示した場合、前記第２動画像を前記切替操作時点まで再生するまでの間は前記第１動画像を再生せず、前記第２動画像を前記切替操作時点まで再生した後に前記第１動画像を前記第２領域で再生し始める、
請求項１に記載の画像表示装置。
【請求項３】
前記操作画面表示部は、前記第２動画像を前記第１領域で再生する間に、前記第１動画像を前記第２動画像に同期して前記第２領域で表示させるか否かを選択するための操作画面を前記表示部に表示させる、
請求項１又は２に記載の画像表示装置。
【請求項４】
前記操作画面表示部は、前記第２動画像を前記第１領域で再生している間に、前記第２動画像の再生を停止する操作及び再開するための操作を受け付けるための操作画面を前記表示部に表示させ、
前記表示処理部は、前記第１動画像を再生していない状態で前記操作受付部が前記第２動画像の再生を停止する操作を受け付けた後に再開する操作を受け付けた場合に、前記第１動画像を前記第２動画像に同期して再生させる、
請求項１から３のいずれか一項に記載の画像表示装置。
【請求項５】
前記操作画面表示部は、前記第２動画像を前記第１領域で再生している間に、前記第２動画像の再生を停止する操作を受け付けるための操作画面を前記表示部に表示させ、前記操作受付部が前記第２動画像の再生を停止する操作を受け付けた場合に、前記第２動画像の再生を再開する際に前記第１領域で再生するか前記第２領域で再生するかを選択するための操作画面を前記表示部に表示させる、
請求項１から４のいずれか一項に記載の画像表示装置。
【請求項６】
前記操作画面表示部は、前記切替操作時点よりも前の時点を指定する情報を入力する領域を含む前記選択操作画面を前記表示部に表示させ、
前記表示処理部は、前記選択操作画面において指定された時点から前記第２動画像を前記第１領域で再生し始める、
請求項１から５のいずれか一項に記載の画像表示装置。
【請求項７】
前記操作受付部は、前記第２動画像が前記第２領域で再生されている間に前記第２領域から前記第１領域に向かうドラッグ操作又はスワイプ操作を前記切替操作として受け付ける、
請求項１から６のいずれか一項に記載の画像表示装置。
【請求項８】
前記操作受付部は、前記第１動画像が前記第１領域で再生されている間に前記第１領域から前記第２領域に向かうドラッグ操作又はスワイプ操作を前記切替操作として受け付ける、
請求項１から７のいずれか一項に記載の画像表示装置。
【請求項９】
コンピュータに、
第１動画像を表示部の第１領域に表示させ、第２動画像を前記表示部における前記第１領域よりも狭い第２領域に表示させるステップと、
前記第２動画像を前記第１領域で表示させるための切替操作を受け付けるステップと、
前記切替操作を受け付けると、前記切替操作を受け付けた切替操作時点で前記第２領域に表示されている時点の前記第２動画像から前記第１領域に表示させるか、前記切替操作時点よりも前の時点に遡って前記第２動画像を前記第１領域に表示させるかを選択するための選択操作画面を前記表示部に表示させるステップと、
前記選択操作画面において受け付けた操作の内容に対応する時点から前記第２動画像を前記第１領域に表示させるステップと、
を実行させるためのプログラム。
【発明の詳細な説明】
【技術分野】
【０００１】
本発明は、画像表示装置及びプログラムに関する。
【背景技術】
【０００２】
従来、複数の動画像をディスプレイに表示している状態で、タッチスクリーン上で行われた操作に基づいて、それぞれの動画像を表示する位置を切り替えることができるシステムが知られている（例えば、特許文献１を参照）。
【先行技術文献】
【特許文献】
【０００３】
【特許文献１】特許第６３０６６９７号公報
【発明の概要】
【発明が解決しようとする課題】
【０００４】
ユーザは、切り替えるための操作をする前のシーンを切り替え後の配置で見たいという場合がある。しかしながら、従来のシステムにおいては、表示する動画像を切り替えるための操作が行われた時点から複数の動画像の再生を再開するため、切り替えるための操作をする前のシーンを見るためには、煩雑な操作をする必要があった。
【０００５】
そこで、本発明はこれらの点に鑑みてなされたものであり、ユーザが見たいシーンを所望の配置で容易に見えるようにすることを目的とする。
【課題を解決するための手段】
【０００６】
本発明の第１の態様の画像表示装置は、第１動画像を表示部の第１領域に表示させ、第２動画像を前記表示部における前記第１領域よりも狭い第２領域に表示させる表示処理部と、前記第２動画像を前記第１領域で表示させるための切替操作を受け付ける操作受付部と、前記操作受付部が前記切替操作を受け付けると、前記切替操作を受け付けた切替操作時点で前記第２領域に表示されている時点の前記第２動画像から前記第１領域に表示させるか、前記切替操作時点よりも前の時点に遡って前記第２動画像を前記第１領域に表示させるかを選択するための選択操作画面を前記表示部に表示させる操作画面表示部と、を有し、前記表示処理部は、前記操作受付部が前記選択操作画面において受け付けた操作の内容に対応する時点から前記第２動画像を前記第１領域に表示させる。
【０００７】
前記表示処理部は、前記切替操作時点よりも前の時点に遡って前記第２動画像を前記第１領域に表示した場合、前記第２動画像を前記切替操作時点まで再生するまでの間は前記第１動画像を再生せず、前記第２動画像を前記切替操作時点まで再生した後に前記第１動画像を前記第２領域で再生し始めてもよい。
【０００８】
前記操作画面表示部は、前記第２動画像を前記第１領域で再生する間に、前記第１動画像を前記第２動画像に同期して前記第２領域で表示させるか否かを選択するための操作画面を前記表示部に表示させてもよい。
【０００９】
前記操作画面表示部は、前記第２動画像を前記第１領域で再生している間に、前記第２動画像の再生を停止する操作及び再開するための操作を受け付けるための操作画面を前記表示部に表示させ、前記表示処理部は、前記第１動画像を再生していない状態で前記操作受付部が前記第２動画像の再生を停止する操作を受け付けた後に再開する操作を受け付けた場合に、前記第１動画像を前記第２動画像に同期して再生させてもよい。
【００１０】
前記操作画面表示部は、前記第２動画像を前記第１領域で再生している間に、前記第２動画像の再生を停止する操作を受け付けるための操作画面を前記表示部に表示させ、前記操作受付部が前記第２動画像の再生を停止する操作を受け付けた場合に、前記第２動画像の再生を再開する際に前記第１領域で再生するか前記第２領域で再生するかを選択するための操作画面を前記表示部に表示させてもよい。
【００１１】
前記操作画面表示部は、前記切替操作時点よりも前の時点を指定する情報を入力する領域を含む前記選択操作画面を前記表示部に表示させ、前記表示処理部は、前記選択操作画面において指定された時点から前記第２動画像を前記第１領域で再生し始めてもよい。
【００１２】
前記操作受付部は、前記第２動画像が前記第２領域で再生されている間に前記第２領域から前記第１領域に向かうドラッグ操作又はスワイプ操作を前記切替操作として受け付けてもよい。
【００１３】
前記操作受付部は、前記第１動画像が前記第１領域で再生されている間に前記第１領域から前記第２領域に向かうドラッグ操作又はスワイプ操作を前記切替操作として受け付けてもよい。
【００１４】
本発明の第２の態様のプログラムは、コンピュータに、第１動画像を表示部の第１領域に表示させ、第２動画像を前記表示部における前記第１領域よりも狭い第２領域に表示させるステップと、前記第２動画像を前記第１領域で表示させるための切替操作を受け付けるステップと、前記切替操作を受け付けると、前記切替操作を受け付けた切替操作時点で前記第２領域に表示されている時点の前記第２動画像から前記第１領域に表示させるか、前記切替操作時点よりも前の時点に遡って前記第２動画像を前記第１領域に表示させるかを選択するための選択操作画面を前記表示部に表示させるステップと、前記選択操作画面において受け付けた操作の内容に対応する時点から前記第２動画像を前記第１領域に表示させるステップと、を実行させる。
【発明の効果】
【００１５】
本発明によれば、ユーザが見たいシーンを所望の配置で容易に見えるようにすることができるという効果を奏する。
【図面の簡単な説明】
【００１６】
【図１】画像表示システムＳのシステム構成図である。
【図２】複数のカメラＣが競技場に設置されている状態を示す模式図である。
【図３】複数のカメラＣが作成した複数の動画像がディスプレイに表示された状態を示す図である。
【図４】画像配信装置１の構成を示す図である。
【図５】画像表示装置２の構成を示す図である。
【図６】選択操作画面の例を示す図である。
【図７】画像表示装置２における処理の流れを示すフローチャートである。
【発明を実施するための形態】
【００１７】
［画像表示システムＳの概要］
図１は、画像表示システムＳのシステム構成図である。画像表示システムＳは、画像配信装置１と、画像表示装置２とを有する。画像表示システムＳは、画像配信装置１が管理している動画像データを画像表示装置２に配信し、画像表示装置２のユーザが動画像データに基づく動画像を見るためのシステムである。画像配信装置１及び画像表示装置２は、ネットワークＮを介して各種のデータを送受信する。ネットワークＮは、インターネット又は携帯電話網等を含む。
【００１８】
画像配信装置１が配信する動画像データは任意であるが、一例として、複数の動画像データは、複数の異なるアングルから共通の空間が撮影されることにより生成された動画像データである。本実施形態に係る画像配信装置１は、ネットワークＮを介して、複数のカメラＣ（Ｃ１〜Ｃ５）それぞれから動画像データを取得する。画像配信装置１は、複数のカメラＣから取得した複数の動画像データを含む配信用データを画像配信装置１に配信する。
【００１９】
画像表示装置２は、画像配信装置１から配信される複数の動画像データに基づく複数の動画像を表示するディスプレイを有する端末であり、例えば、スマートフォン、タブレット、パーソナルコンピュータ又はヘッドマウントディスプレイである。画像配信装置１から動画像データの配信を受ける画像表示装置２の台数は任意である。画像表示装置２は、画像配信装置１から配信された複数の動画像に基づく複数の動画像を一つの画面内の複数の領域に表示する。
【００２０】
図２は、複数のカメラＣが競技場に設置されている状態を示す模式図である。図２に示すように、複数のカメラＣは、複数の異なるアングルから競技場で行われる試合の様子を撮影する。図３は、複数のカメラＣが撮影した複数の動画像がディスプレイに表示された状態を示す図である。
【００２１】
図３に示すように、画像表示装置２が複数の動画像を表示する複数の領域のうち、少なくとも一つの第１領域Ｒ１（以下、「メイン領域Ｒ１」という場合がある）は他の第２領域Ｒ２〜Ｒ５（以下、「サブ領域Ｒ２」という場合がある）よりも大きい。図３（ａ）は、第１動画像（例えばカメラＣ１が撮影した動画像）がメイン領域Ｒ１に表示され、他の動画像（第２動画像〜第５動画像）がサブ領域Ｒ２〜Ｒ５に表示された状態を示している。図３においては４個のサブ領域（第２領域）が表示されているが、サブ領域の数は任意である。
【００２２】
画像表示装置２は、複数の領域それぞれに動画像を表示させた状態で、メイン領域Ｒ１に表示する動画像を切り替える操作を受け付ける。メイン領域Ｒ１に表示する動画像を切り替える操作は、例えば図３（ｂ）に示すようなスワイプ操作である。メイン領域Ｒ１に表示する動画像を切り替える操作は、ドラッグ操作のような他の操作であってもよい。
【００２３】
画像表示装置２のユーザが、メイン領域Ｒ１に第１動画像が表示され、サブ領域Ｒ２に第２動画像が表示されている状態で、第２動画像が表示されているサブ領域Ｒ２からメイン領域Ｒ１に向かうスワイプ操作をすると、画像表示装置２は、図３（ｃ）に示すように第２動画像をメイン領域Ｒ１に表示する。また、画像表示装置２は、メイン領域Ｒ１に表示されていた第１動画像はサブ領域Ｒ２に表示する。これにより、ユーザは自身が詳細に見たい第２動画像を詳細に見ることが可能になる。
【００２４】
ユーザがメイン領域Ｒ１に表示させる動画像を切り替える際には、切替操作をした時点（以下、「切替操作時点」という）から、切り替え後の第２動画像を見たいという場合と、見逃した過去の場面に遡って第２動画像を見たいという場合がある。そこで、画像表示装置２は、切替操作時点でサブ領域Ｒ２に表示されている時点の第２動画像からメイン領域Ｒ１に表示させるか、切替操作時点よりも前の時点に遡って第２動画像をメイン領域Ｒ１に表示させるかを選択するための選択操作画面を表示する。画像表示装置２がこのような画面を表示することで、ユーザがメイン領域Ｒ１に表示させる動画像を切り替えた場合に、ユーザが見たい時点で撮影されたシーンを所望の配置で容易に見えるようになる。
以下、画像配信装置１及び画像表示装置２の構成及び動作を詳細に説明する。
【００２５】
［画像配信装置１の構成］
図４は、画像配信装置１の構成を示す図である。画像配信装置１は、通信部１１と、記憶部１２と、制御部１３とを有する。制御部１３は、データ取得部１３１及びデータ作成部１３２を有する。
【００２６】
通信部１１は、ネットワークＮを介して複数のカメラＣ及び画像表示装置２との間でデータを送受信するための通信インターフェースを有する。通信部１１は、複数のカメラＣから受信した複数の動画像をデータ取得部１３１に入力する。また、通信部１１は、データ作成部１３２から入力された配信用の動画像を、ネットワークＮを介して画像表示装置２へと送信する。
【００２７】
記憶部１２は、ＲＯＭ（Read Only Memory）、ＲＡＭ（Random Access Memory）及びハードディスク等の記憶媒体を有する。記憶部１２は、制御部１３が実行するプログラムを記憶している。また、記憶部１２は、通信部１１が受信した複数の動画像を一時的に記憶する。
【００２８】
制御部１３は、例えばＣＰＵ（Central Processing Unit）を有しており、記憶部１２に記憶されたプログラムを実行することにより、データ取得部１３１及びデータ作成部１３２として機能する。
【００２９】
データ取得部１３１は、通信部１１を介して、複数のカメラＣが所定の領域を撮影することにより生成した複数の動画像データを取得する。データ取得部１３１は、取得した動画像データをデータ作成部１３２に入力する。データ取得部１３１は、取得した動画像データを記憶部１２に記憶させてもよい。
【００３０】
データ作成部１３２は、データ取得部１３１から取得した複数の動画像データに基づいて、配信用データを作成する。配信用データには、データ取得部１３１から取得した複数の動画像データと、複数の動画像データそれぞれを識別するための画像識別情報とが含まれている。画像識別情報は、例えば、表示する領域を示す情報を含む。具体的には、どの動画像データをデフォルトでメイン領域Ｒ１に表示させ、どの動画像データをサブ領域Ｒ２に表示させるかを規定する情報を含む。データ作成部１３２は、通信部１１を介して、作成した配信用データを画像表示装置２に配信する。
【００３１】
［画像表示装置２の構成］
図５は、画像表示装置２の構成を示す図である。画像表示装置２は、通信部２１と、表示部２２と、操作部２３と、記憶部２４と、制御部２５と、を有する。制御部２５は、データ取得部２５１と、表示処理部２５２と、表示制御部２５３と、操作受付部２５４と、操作画面表示部２５５と、を有する。
【００３２】
通信部２１は、ネットワークＮを介して画像配信装置１から複数の動画像データを含む配信用データを受信するための通信インターフェースである。通信部２１は、受信した複数の動画像データをデータ取得部２５１に入力する。
【００３３】
表示部２２は、各種の情報を表示するディスプレイである。表示部２２は、例えば、表示処理部２５２が再生した動画像を表示する。また、表示部２２は、操作画面表示部２５５が作成する操作画面を動画像に重ねて表示する。
【００３４】
操作部２３は、ユーザが画像表示装置２の操作を行うためのデバイスであり、例えば、表示部２２に重ねて設けられたタッチパネルである。操作部２３は、ユーザがタッチした位置を示す座標データを操作受付部２５４に通知する。
【００３５】
記憶部２４は、ＲＯＭ及びＲＡＭを含む記憶媒体である。記憶部２４は、制御部２５が実行するプログラムを記憶している。記憶部２４は、通信部２１が受信した動画像を一時的に記憶してもよい。
【００３６】
制御部２５は、例えばＣＰＵを有しており、記憶部２４に記憶されたプログラムを実行することにより、データ取得部２５１、表示処理部２５２、表示制御部２５３、操作受付部２５４及び操作画面表示部２５５として機能する。
【００３７】
データ取得部２５１は、通信部２１を介して、画像配信装置１が配信した複数の動画像データを取得する。データ取得部２５１は、取得した複数の動画像データを表示処理部２５２に入力する。
【００３８】
表示処理部２５２は、データ取得部２５１から入力された複数の動画像データを再生し、表示制御部２５３を介して表示部２２の複数の領域に複数の動画像を表示させる。具体的には、表示処理部２５２は、符号化された動画像データを復号し、復号後の画像データを所定の領域に配置して表示用画像データを作成する。表示処理部２５２は、作成した表示用画像データを表示制御部２５３に入力することにより、動画像を表示部２２に表示させる。
【００３９】
表示処理部２５２は、例えば、第１動画像を表示部２２のメイン領域Ｒ１に表示させ、第２動画像を表示部２２におけるメイン領域Ｒ１よりも狭いサブ領域Ｒ２に表示させる。表示処理部２５２は、データ取得部２５１から取得した複数の動画像の全てを再生しながら表示部２２に表示させてもよく、一部の動画像のみを再生しながら表示部２２に表示させ、他の動画像を再生しないでもよい。表示処理部２５２は、再生しない動画像を表示部２２に全く表示させなくてもよく、再生しない動画像を停止させた状態で、当該動画像に含まれる一部のデータに基づく静止画を表示部２２に表示させてもよい。
【００４０】
メイン領域Ｒ１及びサブ領域Ｒ２の大きさ及び位置は予め定められていてもよいが、表示処理部２５２は、データ取得部２５１から入力された動画像の内容に応じてメイン領域Ｒ１及びサブ領域Ｒ２の大きさ及び位置の少なくともいずれかを決定してもよい。表示処理部２５２は、例えば、配信用データに関連付けられたメタ情報が示すメイン領域Ｒ１及びサブ領域Ｒ２の大きさ又は位置に基づいて、メイン領域Ｒ１及びサブ領域Ｒ２の大きさ及び位置の少なくともいずれかを決定する。メタ情報には、どの動画像をどの領域に表示させるかを指定する情報が含まれており、表示処理部２５２は、当該情報において指定された領域にそれぞれの動画像を表示させてもよい。
【００４１】
表示処理部２５２は、操作受付部２５４が受け付けたユーザの操作に応じて、複数の領域それぞれに表示させる動画像を切り替える。表示処理部２５２は、例えば図３（ａ）に示したように、第１動画像がメイン領域Ｒ１に表示され、第２動画像がサブ領域Ｒ２に表示された状態で、第２動画像をメイン領域Ｒ１で表示させるための切替操作（例えば図３（ｂ）のスワイプ操作）が行われた場合に、図３（ｃ）に示したように、第２動画像がメイン領域Ｒ１に表示され、第１動画像がサブ領域Ｒ２に表示される状態に切り替える。表示処理部２５２の動作の詳細については後述する。
【００４２】
表示制御部２５３は、表示処理部２５２から入力された表示用画像データを表示部２２に入力することにより、動画像を表示部２２に表示させる。また、表示制御部２５３は、操作画面表示部２５５から入力された操作画面データと表示用画像データとを合成し、動画像に重ねて操作画面を表示させる。
【００４３】
操作受付部２５４は、操作部２３において行われたユーザの操作を受け付ける。具体的には、操作受付部２５４は、操作部２３から入力されたユーザがタッチした位置を示す座標データに基づいて、ユーザが行った操作内容を特定することにより、ユーザの操作を受け付ける。操作受付部２５４は、例えば、第１動画像がメイン領域Ｒ１に表示され、第２動画像がサブ領域Ｒ２に表示された状態で、第２動画像をメイン領域Ｒ１で表示させるための切替操作を受け付ける。操作受付部２５４は、切替操作を受け付けたことを表示処理部２５２及び操作画面表示部２５５に通知する。
【００４４】
操作受付部２５４は、例えば、第２動画像がサブ領域Ｒ２で再生されている間に、図３（ｂ）に示したようにサブ領域Ｒ２からメイン領域Ｒ１に向かうスワイプ操作を切替操作として受け付ける。操作受付部２５４は、メイン領域Ｒ１に表示された動画像とサブ領域Ｒ２に表示された動画像とを切り替えるための操作として、第１動画像がメイン領域Ｒ１で再生されている間にメイン領域Ｒ１からサブ領域Ｒ２に向かうスワイプ操作を切替操作として受け付けてもよい。操作受付部２５４がこのようなスワイプ操作を切替操作として受け付けることで、ユーザは、直感的に動画像を切り替えることができる。
【００４５】
操作受付部２５４は、メイン領域Ｒ１の面積とサブ領域Ｒ２〜サブ領域Ｒ５の面積とを変化させるための操作を受け付けてもよい。操作受付部２５４は、メイン領域Ｒ１においてピンチアウト操作が行われた場合、メイン領域Ｒ１の面積をさらに大きくしてサブ領域Ｒ２〜サブ領域Ｒ５の面積を小さくする。逆に、操作受付部２５４は、メイン領域Ｒ１においてピンチイン操作が行われた場合、メイン領域Ｒ１の面積を小さくしてサブ領域Ｒ２〜サブ領域Ｒ５の面積を大きくする。操作受付部２５４がこのような操作を受け付けることで、ユーザは、メイン領域Ｒ１に表示された動画像をより詳細に見たいという場合に、容易に領域の大きさを調整することができる。
【００４６】
操作受付部２５４は、各領域の配置を変更するための操作を受け付けてもよい。ユーザは、移動させたい領域にタッチした状態で所望の位置にまでドラッグ操作をすることで、ユーザがタッチした領域を移動させることができる。この場合、ドラッグ操作をした領域が他の領域に重なる場合、ドラッグ操作をした領域が他の領域の手前側（ユーザ側）で表示される。操作受付部２５４がこのような操作を受け付けることで、ユーザは、見たい動画像が表示された領域を見やすい位置に配置することができる。
【００４７】
操作画面表示部２５５は、ユーザが操作するための画面を表示部２２に表示させる。操作画面表示部２５５は、例えば、操作受付部２５４が切替操作を受け付けると、切替操作を受け付けた切替操作時点で第２領域に表示されている時点の第２動画像からメイン領域Ｒ１に表示させるか、切替操作時点よりも前の時点に遡って第２動画像をメイン領域Ｒ１に表示させるかを選択するための選択操作画面を表示部２２に表示させる。
【００４８】
図６は、選択操作画面の例を示す図である。図６（ａ）は、図３（ｃ）に示したように第２動画像がメイン領域Ｒ１に表示された状態で、画面の左上に、第２動画像を再生する時点を選択するための選択操作画面Ａ１が表示されている。「このまま再生」ボタンは、切替操作を受け付けた切替操作時点で第２領域に表示されている時点の第２動画像からメイン領域Ｒ１に表示させることを選択するためのボタンである。「戻って再生」ボタンは、切替操作時点よりも前の時点に遡って第２動画像をメイン領域Ｒ１に表示させるかを選択するためのボタンである。
【００４９】
表示処理部２５２は、操作受付部２５４が選択操作画面において受け付けた操作の内容に対応する時点から第２動画像をメイン領域Ｒ１に表示させる。表示処理部２５２は、選択操作画面においてユーザが「このまま再生」を選択した場合、スワイプ操作が行われた時点、又は「このまま再生」が選択された時点の第２動画像からメイン領域Ｒ１に表示させる。この際、表示処理部２５２は、第１動画像も同じ時点から再生してサブ領域Ｒ２に表示させてもよい。
【００５０】
操作画面表示部２５５は、選択操作画面においてユーザが「戻って再生」を選択した場合、切替操作時点よりも前の時点を指定する情報を入力する領域を含む選択操作画面を表示部２２に表示させる。一例として、操作画面表示部２５５は、図６（ｂ）に示すように、遡る時点を指定するためのスライドバー画面Ａ２を表示する。スライドバー画面Ａ２の下方には、遡る時間（秒）を示す領域Ａ３が表示されている。また、スライドバー画面Ａ２にはカーソルＡ４が示されており、ユーザは、このカーソルＡ４の位置を動かすことにより、遡る時間を指定することができる。図６（ｂ）においては、１０秒遡ることが指定されている。
【００５１】
表示処理部２５２は、選択操作画面において指定された時点から第２動画像を第１領域で再生し始める。すなわち、表示処理部２５２は、スライドバー画面Ａ２において指定された時間だけ遡った時点から第２動画像を再生して、メイン領域Ｒ１に表示させる。表示処理部２５２は、このように切替操作時点よりも前の時点に遡って第２動画像をメイン領域Ｒ１に表示した場合、第２動画像を切替操作時点まで再生するまでの間は第１動画像を再生せず、第２動画像を切替操作時点まで再生した後に第１動画像をサブ領域Ｒ２で再生し始める。表示処理部２５２がこのように動作することで、ユーザは、第１動画像を既に見た時間帯の第２動画像を見ているということを認識することができる。そして、ユーザは、第１動画像を見ていない時点まで到達すると、第１動画像もサブ領域Ｒ２において見ることができる。
【００５２】
ユーザによっては、第２動画像をメイン領域Ｒ１で見ながら、同期して動く第１動画像も見たいという場合がある。そこで、操作画面表示部２５５は、第２動画像をメイン領域Ｒ１で再生する間に、第１動画像を第２動画像に同期してサブ領域Ｒ２で表示させるか否かを選択するための操作画面を表示部に表示させてもよい。表示処理部２５２は、第１動画像を第２動画像に同期してサブ領域Ｒ２で表示させるか否かを選択した場合に、第２動画像をメイン領域Ｒ１で再生し始めるとともに、第１動画像をサブ領域Ｒ２で再生し始める。表示処理部２５２は、切替操作時点よりも前の時点に遡って第２動画像をメイン領域Ｒ１に表示した場合、遡った時点から第１動画像も再生する。
【００５３】
図６（ｂ）においては、メイン領域Ｒ１の右下に、再生を開始するための操作をするための再生アイコンＡ５と、再生を停止するための操作をするための停止アイコンＡ６とが表示されている。表示処理部２５２は、遡る時間が設定された後に再生アイコンＡ５が押されたことに応じて第２動画像の再生を開始してもよい。このような再生アイコンＡ５及び停止アイコンＡ６を表示する画面は、第２動画像をメイン領域Ｒ１で再生している間に、第２動画像の再生を停止する操作及び再開するための操作を受け付けるための操作画面としても機能する。
【００５４】
表示処理部２５２は、第２動画像に同期して第１動画像を再生していない状態で操作受付部２５４が第２動画像の再生を停止する操作を受け付けた後に再開する操作を受け付けた場合に、第１動画像を第２動画像に同期して再生させてもよい。表示処理部２５２がこのように動作することで、ユーザは、第１動画像を第２動画像に同期してサブ領域Ｒ２で表示させないという選択をした後に、第１動画像が第２動画像に同期した状態で両方の動画像を見たいと考えた場合に、容易に両方の動画像を同期させた状態で見ることができる。
【００５５】
操作画面表示部２５５は、操作受付部２５４が第２動画像の再生を停止する操作を受け付けた場合に、第２動画像の再生を再開する際にメイン領域Ｒ１で再生するかサブ領域Ｒ２で再生するかを選択するための操作画面を表示部２２に表示させてもよい。表示処理部２５２は、当該操作画面において、第２動画像をメイン領域Ｒ１で再生することが選択された場合、第２動画像をメイン領域Ｒ１に表示し続ける。表示処理部２５２は、当該操作画面において、第２動画像をサブ領域Ｒ２で再生することが選択された場合、第１動画像をメイン領域Ｒ１で再生し、第２動画像をサブ領域Ｒ２で再生する。
【００５６】
操作画面表示部２５５及び表示処理部２５２がこのように動作することで、ユーザは、第２動画像の再生をメイン領域Ｒ１で開始した後に、メイン領域Ｒ１に表示する動画像を容易に切り替えることができる。なお、表示処理部２５２は、表示制御部２５３がサブ領域Ｒ２からメイン領域Ｒ１に向けたスワイプ操作又はメイン領域Ｒ１からサブ領域Ｒ２に向けたスワイプ操作を受け付けた場合に、第１動画像をメイン領域Ｒ１で再生し、第２動画像をサブ領域Ｒ２で再生するように切り替えてもよい。
【００５７】
［画像配信装置１における処理の流れ］
図７は、画像表示装置２における処理の流れを示すフローチャートである。図７に示すフローチャートは、ユーザが、動画像を見るためのアプリケーションソフトウェアにおいて、所望の動画像を見るための操作を行った時点から開始している。
【００５８】
まず、データ取得部２５１は、画像表示装置２から複数の動画像データを取得する（Ｓ１１）。表示処理部２５２は、データ取得部２５１が取得した複数の動画像データを再生して、複数の動画像を表示部２２に表示させる（Ｓ１２）。具体的には、表示処理部２５２は、第１動画像をメイン領域Ｒ１に表示させ、第２動画像をサブ領域Ｒ２に表示させる。
【００５９】
この状態で操作受付部２５４がメイン領域Ｒ１からサブ領域Ｒ２に向けたスワイプ操作、又はサブ領域Ｒ２からメイン領域Ｒ１に向けたスワイプ操作を受け付けた場合（Ｓ１３においてＹＥＳ）、表示処理部２５２は、第１動画像と第２動画像の表示位置を切り替える（Ｓ１４）。すなわち、表示処理部２５２は、第１動画像をサブ領域Ｒ２において表示させ、第２動画像をメイン領域Ｒ１に表示させる。この際、操作画面表示部２５５は、図６（ａ）に示したように、メイン領域Ｒ１に表示される第２動画像をどの時点から再生するかを選択するための操作画面を表示部２２に表示させる（Ｓ１５）。
【００６０】
そのまま再生するための操作を操作受付部２５４が受け付けた場合（Ｓ１６においてＹＥＳ）、表示処理部２５２は、切替操作が行われた時点から第２動画像をメイン領域Ｒ１で再生する（Ｓ１７）。遡ってから再生するための操作を操作受付部２５４が受け付けた場合（Ｓ１６においてＮＯ）、操作画面表示部２５５は、遡る時刻を選択するための画面を表示部２２に表示させる（Ｓ１８）。時刻を指定する操作と再生を開始するための操作を操作受付部２５４が受け付けた場合（Ｓ１９においてＹＥＳ）、表示処理部２５２は、指定された時刻に遡ってから第２動画像を再生する（Ｓ２０）。
【００６１】
動画像の再生を終了するための操作を操作受付部２５４が受け付けた場合（Ｓ２１においてＹＥＳ）、画像表示装置２は、図７の処理を終了する。動画像の再生を終了するための操作を操作受付部２５４が受け付けるまでの間、画像表示装置２は、Ｓ１３からＳ２０までの処理を繰り返す。
【００６２】
［第１変形例］
以上の説明においては、データ取得部２５１が画像配信装置１から取得した配信用データに含まれている複数の動画像データに対応する複数の動画像が、表示部２２の複数の領域のいずれかに表示されるという例を示したが、画像表示装置２は、複数の動画像のうち一部の動画像を表示部２２に表示し、他の一部の動画像を表示しないようにしてもよい。
【００６３】
表示処理部２５２は、例えば複数の動画像データそれぞれに含まれている被写体を解析し、動画像データにどのような被写体が含まれているかに基づいて、表示部２２に表示させる動画像を選択する。データ取得部２５１が、例えばサッカーの試合を２０台のカメラで撮影して生成された２０の動画像データを取得した場合、表示処理部２５２は、例えばボールが写っている動画像、又は選手の動きが比較的激しい状態が写っている動画像を選択し、選択した動画像を表示部２２に表示させる。
【００６４】
ボールや選手の状態が変化することにより、ボールが写っている動画像データは頻繁に切り替わることが想定される。このような場合に、表示部２２に表示される動画像が頻繁に切り替わり過ぎると、ユーザが見づらくなってしまう。そこで、表示処理部２５２は、所定の期間（例えば１分）にわたる状況を解析して、所定の期間における被写体の状態に基づいて、表示する動画像を選択してもよい。
【００６５】
最も面積が大きい領域（例えばメイン領域Ｒ１）に表示された動画像が頻繁に切り替わるとユーザが見づらいが、ユーザには、重要なシーンを見逃したくないというニーズもある。そこで、表示処理部２５２は、第１領域において表示される動画像が切り替わる頻度を第２領域において表示される動画像が切り替わる頻度よりも小さくし、第２領域（例えばサブ領域）においては、上記の所定の期間よりも短い期間（例えば５秒）ごとに動画像が切り替わり得るようにしてもよい。表示処理部２５２がこのように動作することで、ユーザは、例えばメイン領域Ｒ１に表示された第１動画像を見ながら、頻繁に状態が変化するサブ領域Ｒ２に表示された第２動画像を見て、適切なタイミングで第２動画像をメイン領域Ｒ１に表示させることができる。
【００６６】
［第２変形例］
以上の説明においては、メイン領域Ｒ１に表示された第２動画像の再生を開始する時点をユーザが指定するという場合を例示したが、第２動画像の再生を開始する時点の決定方法はこれに限らない。表示処理部２５２は、ユーザの操作によらず、第２動画像をメイン領域Ｒ１に表示させるための切替操作が行われたことに応じて、自動的に所定の時点まで遡ってから第２動画像データの再生を開始してもよい。
【００６７】
所定の時点は、例えば動画像データごとに定められた時点である。動画像データに関連付けて、遡る時間を指定する情報が画像配信装置１から送信されていてもよく、動画像データのコンテンツの種別に基づいて、遡る時間を表示処理部２５２が決定してもよい。表示処理部２５２は、例えば連続して行われるプレイの平均的な長さに基づいて遡る時間を決定する。
【００６８】
サッカーにおいて連続して行われるプレイの平均時間が１５秒であり、卓球において連続して行われるプレイの平均時間が５秒である場合、表示処理部２５２は、サッカーの試合の動画像データにおいては１５秒間遡ってから第２動画像データを再生し、卓球の試合の動画像データにおいては５秒間遡ってから第２動画像データを再生する。表示処理部２５２がこのように動作することで、ユーザが第２動画像データをメイン領域Ｒ１に表示させる操作をした場合に、遡る時間をユーザが設定することなく、ユーザが見たいと考える蓋然性が高い時点から第２動画像データを再生できる。
【００６９】
所定の時点は、動画像データに関連付けられたメタ情報が示す時点であってもよい。メタ情報は、例えば、ユーザが見る価値が高い決定的なシーン（例えばサッカーの試合におけるゴールシーン）の時点を示す情報である。このような所定の時点の後に、操作受付部２５４がユーザの切替操作を受け付けた場合、表示処理部２５２は、当該所定の時点まで自動的に遡ってから第２動画像データを再生する。表示処理部２５２がこのように動作することで、ユーザは切替操作をするだけで見る価値が高いシーンを見ることができるので、スポーツの動画像を見る場合に好適である。
【００７０】
表示処理部２５２は、メタ情報が示す所定の時点から動画像データを再生する場合に、スロー再生をしてもよい。表示処理部２５２は、切替操作が行われたことに応じて、自動的に所定の時点からスロー再生をしてもよく、ユーザの操作に応じてスロー再生を開始してもよい。
【００７１】
メタ情報が示す所定の時点から所定の期間にメイン領域Ｒ１で動画像データを再生している間に、他のアングルから決定的なシーンが撮影された他の動画像データがサブ領域Ｒ２に表示されている場合、表示処理部２５２は、決定的なシーンが写った他の動画像データを他の動画像データを区別できる態様で表示してもよい。表示処理部２５２は、例えば、決定的なシーンが写った他の動画像データに太枠を付したり、当該動画像データの表示領域の形状を変えたりして強調表示することで、ユーザが他のアングルから決定的なシーンを見やすくなる。
【００７２】
表示処理部２５２は、メタ情報が示す所定の時点から所定の期間に動画像データを再生している間に、決定的なシーン（お勧めのシーン）を全て見るという操作を操作受付部２５４が受け付けた場合、決定的なシーンが写った他の動画像データを順次メイン領域Ｒ１に移動して表示してもよい。表示処理部２５２がこのように動作することで、さまざまなアングルから撮影された決定的なシーンをユーザが容易に見ることができる。
【００７３】
［画像表示装置２による効果］
以上説明したように、画像表示装置２は、第２動画像をメイン領域Ｒ１で表示させるための切替操作を受け付ける操作受付部２５４と、操作受付部２５４が切替操作を受け付けると、切替操作を受け付けた切替操作時点で第２領域に表示されている時点の第２動画像からメイン領域Ｒ１に表示させるか、切替操作時点よりも前の時点に遡って第２動画像をメイン領域Ｒ１に表示させるかを選択するための選択操作画面を表示部２２に表示させる操作画面表示部２５５と、を有する。そして、表示処理部２５２は、操作受付部２５４が選択操作画面において受け付けた操作の内容に対応する時点から第２動画像をメイン領域Ｒ１に表示させる。画像表示装置２がこのように構成されていることで、ユーザは、ユーザが見たいシーンを所望の配置で容易に見える。
【００７４】
以上、本発明を実施の形態を用いて説明したが、本発明の技術的範囲は上記実施の形態に記載の範囲には限定されず、その要旨の範囲内で種々の変形及び変更が可能である。例えば、装置の全部又は一部は、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を併せ持つ。
【符号の説明】
【００７５】
１  画像配信装置
２  画像表示装置
１１  通信部
１２  記憶部
１３  制御部
２１  通信部
２２  表示部
２３  操作部
２４  記憶部
２５  制御部
１３１  データ取得部
１３２  データ作成部
２５１  データ取得部
２５２  表示処理部
２５３  表示制御部
２５４  操作受付部
２５５  操作画面表示部
【要約】
【課題】ユーザが見たいシーンを所望の配置で容易に見えるようにする。
【解決手段】画像表示装置２は、第１動画像を表示部の第１領域に表示させ、第２動画像を表示部２２における第１領域よりも狭い第２領域に表示させる表示処理部２５２と、第２動画像を第１領域で表示させるための切替操作を受け付ける操作受付部２５４と、操作受付部２５４が切替操作を受け付けると、切替操作を受け付けた切替操作時点で第２領域に表示されている時点の第２動画像から第１領域に表示させるか、切替操作時点よりも前の時点に遡って第２動画像を第１領域に表示させるかを選択するための選択操作画面を表示部２２に表示させる操作画面表示部２５５と、を有し、表示処理部２５２は、操作受付部２５４が選択操作画面において受け付けた操作の内容に対応する時点から第２動画像を第１領域に表示させる。
【選択図】図５【図１】
0006815555.tif 000002
【図２】
0006815555.tif 000003
【図３】
0006815555.tif 000004
【図４】
0006815555.tif 000005
【図５】
0006815555.tif 000006
【図６】
0006815555.tif 000007
【図７】
0006815555.tif 000008